(57)【要約】  第一開口と、第二開口と、紐の挿通路とを備えた雌部材と、前記挿通路内に前記第一開口側から一部を入り込ませると共に、この一部に前記挿通路内に形成された雌側留付部と協働して前記挿通路に挿通された前記紐に留め付く雄側留付部を備えた雄部材とからなる。前記紐に対する留め付けは、前記第一開口側から引き出される前記紐を把持しての前記雌部材に対する前記挿通路内への前記雄部材の一部の入り込み量を減ずる引き操作、及び、前記第二開口側から引き出される前記紐を把持しての前記雄部材に対する前記挿通路内への前記雄部材の一部の入り込み量を減ずる引き操作により解かれる。前記雌部材及び前記雄部材に前記引き操作用の指掛け部を形成させてなる。
2017199977.tif 000002
【特許請求の範囲】
【請求項１】
第一開口と、第二開口と、これらの間に亘る紐の挿通路とを備えた雌部材と、
前記挿通路内に前記第一開口側から一部を入り込ませると共に、この一部に前記挿通路内に形成された雌側留付部と協働して前記挿通路に挿通された前記紐に留め付く雄側留付部を備えた雄部材と、
からなるコードロックであって、
前記紐に対する留め付けは、前記第一開口側から引き出される前記紐を把持しての前記雌部材に対する前記挿通路内への前記雄部材の一部の入り込み量を減ずる引き操作、及び、前記第二開口側から引き出される前記紐を把持しての前記雄部材に対する前記挿通路内への前記雄部材の一部の入り込み量を減ずる引き操作により解かれるようになっていると共に、
前記雌部材及び前記雄部材に前記引き操作用の指掛け部を形成させてなる、コードロック。
【請求項２】
前記指掛け部を、前記紐の長さ方向に交叉する向きに沿うように形成させてなる、請求項１に記載のコードロック。
【請求項３】
前記コードロックは、幅広の正面部及び背面部を有すると共に、これらの少なくとも一方において、前記雌部材及び前記雄部材にそれぞれ、前記指掛け部を形成させてなる、請求項１又は請求項２に記載のコードロック。
【請求項４】
前記コードロックは、幅広の正面部及び背面部を有すると共に、これらの少なくとも一方は、前記紐の長さ方向において、前記コードロックの中央側から前記コードロックの端末側に近づくに連れて高まるように形成されて二箇所の前記端末間に指先が納まるようにしてなる、請求項１に記載のコードロック。
【請求項５】
二箇所の前記端末間にある前記コードロックの外面を、仮想の一つの円の円弧に実質的に沿った面とさせてなる、請求項４に記載のコードロック。
【請求項６】
前記雌部材と前記雄部材との間に、前記引き操作により蓄勢されるバネ部材を介在させてなる、請求項１〜請求項５のいずれか１項に記載のコードロック。
【請求項７】
前記挿通路の中心軸を、仮想の一つの平面上に位置されるようにしてなる、請求項１〜請求項６のいずれか１項に記載のコードロック。
【請求項８】
前記雄側留付部及び前記雌側留付部の一方を面部とし、他方を前記面部に向けて突き出す爪部とすると共に、前記爪部における少なくとも前記第一開口側に向けられた側部が倣う仮想の直線と前記面部とがなす角度が実質的に直角となるようにしてなる、請求項１〜請求項７のいずれか１項に記載のコードロック。
【請求項９】
前記爪部を、隣り合う爪部との間に間隔を開けて、二以上設けさせてなる、請求項８に記載のコードロック。
【請求項１０】
前記雌部材の前記指掛け部及び前記雄部材の前記指掛け部の双方又はいずれか一方に、帯状体の掛け回し部を形成させてなる、請求項１〜請求項９のいずれか１項に記載のコードロック。
【発明の詳細な説明】
【技術分野】
【０００１】
この発明は、コードロックの改良に関する。
【背景技術】
【０００２】
紐が挿通されるケースと、ケースの係合壁面と協働して紐に係合力を作用させる係合エッジを備えたロック部材とからなる紐固定具がある（特許文献１参照）。
【先行技術文献】
【特許文献】
【０００３】
【特許文献１】特開２００５−２３１号公報
【発明の概要】
【発明が解決しようとする課題】
【０００４】
この発明が解決しようとする主たる問題点は、この種の紐固定具、すなわち、コードロックの操作性をより向上させる点にある。
【課題を解決するための手段】
【０００５】
前記課題を達成するために、この発明にあっては、コードロックを、第一開口と、第二開口と、これらの間に亘る紐の挿通路とを備えた雌部材と、
前記挿通路内に前記第一開口側から一部を入り込ませると共に、この一部に前記挿通路内に形成された雌側留付部と協働して前記挿通路に挿通された前記紐に留め付く雄側留付部を備えた雄部材と、
からなるコードロックであって、
前記紐に対する留め付けは、前記第一開口側から引き出される前記紐を把持しての前記雌部材に対する前記挿通路内への前記雄部材の一部の入り込み量を減ずる引き操作、及び、前記第二開口側から引き出される前記紐を把持しての前記雄部材に対する前記挿通路内への前記雄部材の一部の入り込み量を減ずる引き操作により解かれるようになっていると共に、
前記雌部材及び前記雄部材に前記引き操作用の指掛け部を形成させてなる、ものとした。【０００６】
紐に対するコードロックの留め付け状態は、前記第一開口側から引き出される前記紐を把持しての前記雌部材に対する引き操作によって、また、前記第二開口側から引き出される前記紐を把持しての前記雄部材に対する引き操作によって解くことができる。前記雌部材及び前記雄部材には、前記指掛け部が形成されていることから、前記引き操作にあたり前記雌部材及び雄部材は摘みやすく前記引き操作を容易且つ確実に行うことができる。【０００７】
前記指掛け部を、前記紐の長さ方向に交叉する向きに沿うように形成させておくことが、この発明の態様の一つとされる。【０００８】
また、前記コードロックは、幅広の正面部及び背面部を有すると共に、これらの少なくとも一方において、前記雌部材及び前記雄部材にそれぞれ、前記指掛け部を形成させたものとすることが、この発明の態様の一つとされる。【０００９】
また、前記コードロックは、幅広の正面部及び背面部を有すると共に、これらの少なくとも一方は、前記紐の長さ方向において、前記コードロックの中央側から前記コードロックの端末側に近づくに連れて高まるように形成されて二箇所の前記端末間に指先が納まるようにすることが、この発明の態様の一つとされる。【００１０】
また、二箇所の前記端末間にある前記コードロックの外面を、仮想の一つの円の円弧に実質的に沿った面とさせることが、この発明の態様の一つとされる。【００１１】
また、前記雌部材と前記雄部材との間に、前記引き操作により蓄勢されるバネ部材を介在させたものとすることが、この発明の態様の一つとされる。【００１２】
また、前記挿通路の中心軸が、仮想の一つの平面上に位置されるようにしておくことが、この発明の態様の一つとされる。【００１３】
また、前記雄側留付部及び前記雌側留付部の一方を面部とし、他方を前記面部に向けて突き出す爪部とすると共に、前記爪部における少なくとも前記第一開口側に向けられた側部が倣う仮想の直線と前記面部とがなす角度が実質的に直角となるようにしておくことが、この発明の態様の一つとされる。また、前記雌部材の前記指掛け部及び前記雄部材の前記指掛け部の双方又はいずれか一方に、帯状体の掛け回し部を形成させておくことが、この発明の態様の一つとされる。
【発明の効果】
【００１４】
この発明によれば、コードロックの操作性を、適切且つ合理的に向上させることができる。
【図面の簡単な説明】
【００１５】
【図１】図１は、この発明の一実施の形態にかかるコードロック（第一例）の分解斜視図である。
【図２】図２は、前記第一例の分解斜視図である。
【図３】図３は、前記第一例の斜視図である。
【図４】図４は、前記第一例の斜視図である。
【図５】図５は、前記第一例を構成する雄部材の側面図である。
【図６】図６は、前記第一例を構成する雄部材の側面図である。
【図７】図７は、前記第一例の正面図であり、紐に留めついた状態を示している。
【図８】図８は、図７におけるＡ−Ａ線位置での断面図である。
【図９】図９は、前記第一例の側面図であり、紐に留めついた状態を示している。
【図１０】図１０は、図９におけるＢ−Ｂ線位置での断面図である。
【図１１】図１１は、前記第一例の断面図であり、紐への留めつけを解除した状態を示している。
【図１２】図１２は、前記第一例の要部断面図である。
【図１３】図１３は、この発明の一実施の形態にかかるコードロック（第二例）の正面図である。
【図１４】図１４は、前記第二例の断面図であり、紐に留めついた状態を示している。
【図１５】図１５は、前記第二例の断面図であり、紐への留めつけを解除した状態を示している。
【図１６】図１６は、この発明の一実施の形態にかかるコードロック（第三例）の斜視図である。
【図１７】図１７は、前記第三例の断面図である。
【図１８】図１８は、前記第三例の断面図であり、紐に留めついた状態を示している。
【図１９】図１９は、前記第三例の断面図であり、紐への留めつけを解除した状態を示している。
【図２０】図２０は、この発明の一実施の形態にかかるコードロック（第四例）の断面図である。
【図２１】図２１は、この発明の一実施の形態にかかるコードロック（第五例）の断面図である。
【図２２】図２２は、この発明の一実施の形態にかかるコードロック（第六例）の側面図である。
【図２３】図２３は、この発明の一実施の形態にかかるコードロック（第七例）の正面図である。
【図２４】図２４は、前記第七例の側面図である。
【図２５】図２５は、この発明の一実施の形態にかかるコードロック（第八例）の斜視図である。
【発明を実施するための形態】
【００１６】
以下、図１〜図２５に基づいて、この発明の典型的な実施の形態について、説明する。
【００１７】
この実施の形態にかかるコードロックＲは、紐Ｃの任意の位置に留め付け可能であり、また、この留め付け状態を雌部材１内への雄部材２の一部の入り込み量を減ずる引き操作により解除可能に構成されたものである。
【００１８】
かかる紐Ｃは、このようにコードロックＲの留め付けが可能なものであれば、その形状（丸紐、平紐など）、材質や構造（編み紐、ゴム紐、合成樹脂製の紐など）は問われない。かかるコードロックＲは、典型的には、こうした紐Ｃにより絞られたり、引き締められたりする箇所を備えた各種の物品におけるこの紐Ｃに留め付けられて、その留め付け位置を変えることでこのような箇所を絞ったり、緩めたりするように用いられる。
【００１９】
前記雌部材１は、図１０、１４、１７、２０及び２１に示すように、第一開口４と、第二開口５と、これらの間に亘る紐Ｃの挿通路６とを備えている。
【００２０】
一方、前記雄部材２は、前記挿通路６内に前記第一開口４側から一部を入り込ませると共に、この一部に前記挿通路６内に形成された雌側留付部７と協働して前記挿通路６に挿通された前記紐Ｃに留め付く雄側留付部１２を備えている。
【００２１】
前記紐Ｃに対する留め付けは、前記第一開口４側から引き出される前記紐Ｃを把持しての前記雌部材１に対する前記挿通路６内への前記雄部材２の一部の入り込み量を減ずる引き操作、及び、前記第二開口５側から引き出される前記紐Ｃを把持しての前記雄部材２に対する前記挿通路６内への前記雄部材２の一部の入り込み量を減ずる引き操作により解かれるようになっている。
【００２２】
また、前記雌部材１及び前記雄部材２には、図３、１３、２２、２３及び２５に示すように、前記引き操作用の指掛け部８、１３が各々形成されている。
【００２３】
紐Ｃに対するコードロックＲの留め付け状態は、前記第一開口４側から引き出される前記紐Ｃを把持しての前記雌部材１に対する引き操作によって、また、前記第二開口５側から引き出される前記紐Ｃを把持しての前記雄部材２に対する引き操作によって解くことができる。前記雌部材１及び前記雄部材２には、前記指掛け部８、１３が形成されていることから、前記引き操作にあたり前記雌部材１及び雄部材２は摘みやすく前記引き操作を容易且つ確実に行うことができる。
【００２４】
（第一例）
図１〜図１２に示される第一例では、コードロックＲは、雄部材２の移動中心軸ｘ（図１０参照）を挟んだ両側にそれぞれ紐Ｃが通されるようになっている。
【００２５】
前記コードロックＲは、図８及び９に示すように、幅広の正面部Ｒａ及び背面部Ｒｂを有する。また、図示の例では、前記正面部Ｒａ及び背面部Ｒｂは共に、前記紐Ｃの長さ方向において、前記コードロックＲの中央側から前記コードロックＲの端末Ｒｃ側に近づくに連れて高まるように形成されて二箇所の前記端末Ｒｃ、Ｒｃ間に指先が納まる形状となっている。
【００２６】
この第一例では、二箇所の端末Ｒｃ、Ｒｃの一方は雌部材１に、他方は雄部材２に形成されており、これによって、雌部材１と雄部材２とにそれぞれ、指掛け部８、１３が形成されている。この第一例では、コードロックＲの正面部Ｒａ及び背面部Ｒｂに指の腹が納まるようにしてコードロックＲをしっかりと把持することができる。そして、この把持状態から、第一開口４側から引き出されている紐Ｃを把持して雌部材１を図１０における左側に引き操作すると雌部材１の指掛け部８に指が引っかかってこの引き操作を都合良く行うことができ、また、第二開口５側から引き出されている紐Ｃを把持して雄部材２を図１０における右側に引き操作すると雄部材２の指掛け部１３に指が引っかかってこの引き操作を都合良く行うことができるようになっている。第一開口４側から引き出されている紐Ｃを把持して雌部材１を図１０における左側に引き操作すると、コードロックＲの紐Ｃに対する留め付け状態が解かれ、コードロックＲは全体として図１０における左側に移動し、この左側への引き操作を止めると移動後の位置でコードロックＲは再び紐Ｃに留め付く。また、第二開口５側から引き出されている紐Ｃを把持して雄部材２を図１０における右側に引き操作すると、コードロックＲの紐Ｃに対する留め付け状態が解かれ、コードロックＲは全体として図１０における右側に移動し、この右側への引き操作を止めると移動後の位置でコードロックＲは再び紐Ｃに留め付く。
【００２７】
すなわち、この第一例では、前記指掛け部８、１３は、前記紐Ｃの長さ方向に交叉する向きに沿うように前記正面部Ｒａ及び背面部Ｒｂの幅方向（前記移動中心軸ｘに直交する方向）に亘って形成されている。
【００２８】
図示の例では、図８及び９に示すように、二箇所の前記端末Ｒｃ、Ｒｃ間にある前記コードロックＲの外面を、仮想の一つの円の円弧に実質的に沿った面Ｒｄとさせている。
【００２９】
雌部材１は、図１及び２に示すように、雌側主体部９と、雌側脚部１０と、バネ押さえ部材１１とを備えてなる。
【００３０】
雌側主体部９は、前記正面部Ｒａの一部となる雌側正面部９ａと、前記背面部Ｒｂの一部となる雌側背面部９ｂと、前記移動中心軸ｘに沿う向きに形成された雌側側面部９ｃとを有し、前記移動中心軸ｘに直交する向きの断面を実質的に扁平角筒状としている。雌側主体部９の筒一端が前記第一開口４として機能し、雌側主体部９の筒他端が前記第二開口５として機能するようになっている。
【００３１】
図１に示すように、雌側主体部９の雌側正面部９ａの内面と、雌側背面部９ｂの内面とにはそれぞれ、前記移動中心軸ｘに沿ったガイドリブ９ｄが形成されている。
【００３２】
雌側主体部９の雌側側面部９ｃの内面は、図１０に示すように、第一開口４と第二開口５との間の略中間位置と第一開口４との間では前記移動中心軸ｘに実質的に平行となっているが、前記中間位置と第二開口５との間では第二開口５に近づくに連れて雌側主体部９の内径を狭める向きに傾斜した前記雌側留付部７として機能する面部７ａとなっている。
【００３３】
雌側脚部１０は、図２に示すように、前記移動中心軸ｘに沿って前記雌側主体部９における前記第一開口４を形成する縁部から突き出す帯板状を呈している。雌側脚部１０は二つ設けられている。二つの雌側脚部１０、１０の一方は、雌側正面部９ａに連続して前記移動中心軸ｘに沿って延び出している。二つの雌側脚部１０、１０の他方は、雌側背面部９ｂに連続して前記移動中心軸ｘに沿って延び出している。
【００３４】
二つの雌側脚部１０、１０の突き出し端にはそれぞれ、四角形の貫通孔１０ａが形成されている。
【００３５】
図８に示すように、雌側脚部１０の内外面はいずれも、前記移動中心軸ｘに平行をなしている。一方、雌側主体部９の雌側正面部９ａの外面は第二開口５の側に向けて次第に雌側主体部９の厚さを漸増させるように前記仮想の一つの円の円弧に実質的に沿った面Ｒｄとなっていると共に、雌側背面部９ｂの外面は第二開口５の側に向けて次第に雌側主体部９の厚さを漸増させるように前記仮想の一つの円の円弧に実質的に沿った面Ｒｄとなっている。
【００３６】
バネ押さえ部材１１は、図８及び１０に示すように、二つの雌側脚部１０、１０間に隙間なく納まる厚さと、雌側脚部１０の幅と実質的に等しい幅とを備えている。バネ押さえ部材１１は、図１、２及び８に示すように、その正面及び背面にそれぞれ、前記雌側脚部１０の貫通孔１０ａに係合される係合突起１１ａを有しており、この係合突起１１ａを貫通孔１０ａに納めて二つの雌側脚部１０、１０の突き出し端間に架設状に取り付けられるようになっている。このように取り付けられるバネ押さえ部材１１における第一開口４に向けられる面部には後述するバネ部材３のバネ一端内に入り込む突部１１ｂ形成されている。
【００３７】
一方、雄部材２は、図１に示すように、雄側主体部１４と、雄側脚部１５とを備えてなる。
【００３８】
雄側主体部１４は、前記正面部Ｒａの一部となる雄側正面部１４ａと、前記背面部Ｒｂの一部となる雄側背面部１４ｂと、前記移動中心軸ｘに沿う向きに形成された雄側側面部１４ｃとを有している。
【００３９】
雄側主体部１４は、前記移動中心軸ｘに直交する向きに長いエンド部１４ｄと、このエンド部１４ｄにおける第一開口４に向けられる側において、エンド部１４ｄの図１における左端部から前記移動中心軸ｘに沿うように突き出す突出部１４ｅと、エンド部１４ｄの図１における右端部から前記移動中心軸ｘに沿うように突き出す突出部１４ｅとを備えている。
【００４０】
図９に示すように、雄側主体部１４の雄側正面部１４ａの外面はエンド部１４ｄの側に向けて次第に雄側主体部１４の厚さを漸増させるように前記仮想の一つの円の円弧に実質的に沿った面Ｒｄとなっていると共に、雄側背面部１４ｂの外面はエンド部１４ｄの側に向けて次第に雄側主体部１４の厚さを漸増させるように前記仮想の一つの円の円弧に実質的に沿った面Ｒｄとなっている。
【００４１】
図１及び２に示すように、エンド部１４ｄの左側から突き出す突出部１４ｅの第一開口４に向けられた端部とエンド部１４ｄにおける第一開口４に向けらる側と反対の側との間、及び、エンド部１４ｄの右側から突き出す突出部１４ｅの第一開口４に向けられた端部とエンド部１４ｄにおける第一開口４に向けらる側と反対の側との間とにはそれぞれ、紐Ｃの挿通路１４ｆが形成されている。
【００４２】
雄側脚部１５は、その厚さを前記二つの雌側脚部１０、１０間に納まる厚さとし、その幅を前記雌側主体部９内に納まる幅としている。雄側脚部１５はその基部１５ａを、前記左右の突出部１４ｅ、１４ｅの突き出し端に一体化させて、前記移動中心軸ｘに沿うように雄側主体部１４から突き出している。
【００４３】
また、図１及び２に示すように、雄側脚部１５の基部１５ａと前記エンド部１４ｄとの間には空間１６が形成されていると共に、エンド部１４ｄにはこの空間１６に連通した窓孔１４ｇが形成されている。
【００４４】
また、雄側脚部１５の正面及び背面にはそれぞれ、その脚端と基部との間に亘って、前記ガイドリブ９ｄの納まるガイド溝１５ｂが形成されている。
【００４５】
また、雄側脚部１５の突き出し方向略中程の位置と、脚端との間においては、雄側脚部１５の左右においてそれぞれ、雄側留付部１２となる爪部１２ａが形成されている。この爪部１２ａは、雄側脚部１５の厚さ側の側面から突きだしており、前記移動中心軸ｘに沿う向きにおいて隣り合う爪部１２ａとの間に間隔を開けて三つ形成されている。
【００４６】
また、この第一例にあっては、図８に示すように、前記雌部材１と前記雄部材２との間に、前記引き操作により蓄勢されるバネ部材３としての圧縮コイルバネが介在されている。
【００４７】
図１０に示すように、前記移動中心軸ｘを挟んだ両側においてそれぞれ、雌部材１の第二開口５から挿通路６を通して第一開口４から引き出された紐Ｃを、雄部材２の挿通路１４ｆに通す。この状態から雌部材１の二つの雌側脚部１０、１０間と第一開口４とを通じて雌側主体部９内に雄側脚部１５を、前記ガイドリブ９ｄが前記ガイド溝１５ｂに納まるようにして、雌側脚部１０の突き出し端が前記空間１６に位置される位置まで進入させる。この状態から、前記窓孔１４ｇを通じてバネ他端を雄側脚部１５の基部１５ａに当接させるように雄部材２内にバネ部材３として圧縮コイルバネを配置すると共に、前記バネ押さえ部材１１を二つの前記雌側脚部１０間に納め入れ、バネ押さえ部材１１と雌側脚部１０とを前記のように係合させる。これにより、雄部材２と雌部材１とは前記移動中心軸ｘの左右にそれぞれ紐Ｃを通過させた状態で一体化される。前記バネ部材３は、前記引き操作により蓄勢されるように配される。したがって、かかる引き操作をしない状態にあっては、雄部材２の一部としての雄側脚部１５の雌部材１の挿通路６としての雌側主体部９内への入り込み量は最大化される。この状態において、前記雄側留付部１２としての爪部１２ａは前記雌側留付部７としての面部７ａに向けて突き出すように配されると共に、前記面部７ａは第二開口５に向かうに連れて前記挿通路６としての雌側主体部９の内径を狭める向きに傾斜していることから、爪部１２ａと面部７ａとの間で紐Ｃが締め付けられ紐Ｃに前記爪部１２ａが食い込む。これにより、紐Ｃに対してコードロックＲが留め付けられる。
【００４８】
図示の例では、前記雄側脚部１５の左右にそれぞれ形成された三つの爪部１２ａ…１２ａの中間に位置される爪部１２ａにおける、前記第一開口４側に向けられた側部１２ｂが倣う仮想の直線（図１２において一点鎖線で示す。）と前記面部７ａとがなす角度が実質的に直角となるようにしてある（図１２参照）。これにより、図示の例では、紐Ｃに対し保持力高く爪部１２ａを食い込ませるようになっている。
【００４９】
前記引き操作をすると、前記バネ部材３としての圧縮コイルバネを圧縮・蓄勢しながら雄部材２の一部としての雄側脚部１５の挿通路６としての雌部材１の雌側主体部９内への入り込み量が減じ、前記面部７ａと爪部１２ａとの間の距離が拡がることから、前記面部と爪部１２ａとの間での紐Ｃの締め付けが緩められ紐Ｃに対するコードロックＲの留め付けが解かれる（図１０から図１１）。
【００５０】
なお、この第一例にあっては、前記雌部材１の紐Ｃの挿通路６の中心軸ｙ（図８参照）は、仮想の一つの平面上に位置されるようになっており、紐Ｃに対するコードロックＲの留め付けを解いた状態においては、前記爪部１２ａ以外に紐Ｃに対する格別の引っかかりとなる部分はなく、紐Ｃに沿ってコードロックＲを所望の位置までスムースに移動させることができる。
【００５１】
（第二例）
図１３〜図１５に示される第二例は、コードロックＲは、雄部材２の移動中心軸ｘを挟んだ両側にそれぞれ紐Ｃが通されるようになっている。
【００５２】
この第二例にあっては、第一例と異なり、コードロックＲは、バネ部材３を含まずに、雌部材１と雄部材２とから構成されている。
【００５３】
雌部材１は、図１４に示すように、第一開口４と、第二開口５と、これらの間に亘る紐Ｃの挿通路６とを備えた筒状を呈している。
【００５４】
この例では、雌部材１は、幅広の表部１７及び裏部１８と、側部１９とを備えている。側部１９の内面のうち前記第二開口５側に位置される箇所は第二開口５に近づくに連れて雌部材１の内径を漸減させる傾斜した面部７ａとなっている。
【００５５】
雄部材２は、図１５に示すように、前記挿通路６内に前記第一開口４側から一部を入り込ませると共に、この一部に前記挿通路６内に形成された雌側留付部７としての前記面部７ａと協働して前記挿通路６に挿通された前記紐Ｃに留め付く雄側留付部１２を備えている。
【００５６】
この例では、雄部材２は、図１４に示すように、前記移動中心線ｘに沿った芯部２０を有すると共に、芯部２０の両側にそれぞれ前記移動中心線ｘに沿った側部２１を備え、芯部２０と側部２１との間を紐Ｃの挿通路２２とした筒状を呈している。雌部材１内に入り込む側では、芯部２０は側部２１よりも図１５における右側に突き出し、この突き出し箇所に前記雄側留付部１２となる爪部１２ａが形成されている。
【００５７】
この例にあっては、図１５に示すように、紐Ｃに作用される張力により雄部材２の一部である雄側留付部１２を雌部材１内に入り込ませるようになっている。これにより、図１４に示すように、前記面部７ａと前記爪部１２ａ間で紐Ｃを締め付け、前記爪部１２ａを紐Ｃに食い込ませて紐Ｃに対してコードロックＲが留め付けられる。
【００５８】
そして、この例にあっても、前記紐Ｃに対する留め付けは、前記第一開口４側から引き出される前記紐Ｃを把持しての前記雌部材１に対する前記挿通路６内への前記雄部材２の一部の入り込み量を減ずる引き操作、及び、前記第二開口５側から引き出される前記紐Ｃを把持しての前記雄部材２に対する前記挿通路６内への前記雄部材２の一部の入り込み量を減ずる引き操作により解かれるようになっている。
【００５９】
また、この例にあっても、図１３に示すように、前記雌部材１及び前記雄部材２に前記引き操作用の指掛け部８、１３が形成されている。図示の例では、雌部材１の指掛け部８は、雌部材１の側部１９の外面に形成された突部によって形成されている。また、雄部材２の指掛け部１３は、雄部材２の側部２１の外面に形成された突部によって形成されている。
【００６０】
（第三例）
図１６〜図１９に示される第三例は、コードロックＲは、雄部材２の移動中心軸ｘ上に一本の紐Ｃが通されるようになっている。
【００６１】
この第三例にあっては、第一例と異なり、コードロックＲは、バネ部材３を含まずに、雌部材１と雄部材２とから構成されている。
【００６２】
雌部材１は、第一開口４と、第二開口５と、これらの間に亘る紐Ｃの挿通路６とを備えた筒状を呈している。
【００６３】
この例では、雌部材１は、幅広の表部２３及び裏部２４と、側部２５とを備えている。図１８及び１９に示すように、表部２３の内面のうち前記第二開口５側に位置される箇所は第二開口５に近づくに連れて雌部材１の内径を漸減させる傾斜した面部７ａとなっている。
【００６４】
雄部材２は、前記挿通路６内に前記第一開口４側から一部を入り込ませると共に、この一部に前記挿通路６内に形成された雌側留付部７としての前記面部７ａと協働して前記挿通路６に挿通された前記紐Ｃに留め付く雄側留付部１２を備えている。
【００６５】
この例では、雄部材２は、図１７に示すように、前記移動中心線ｘに沿った芯部２６を有する。芯部２６は、基部２７と、この基部２７の両側にそれぞれ形成された前記移動中心線ｘに沿った側部２８とを備え、基部２７と二箇所の側部２８、２８との間を紐Ｃの挿通路２９とした形態となっている。雌部材１内に入り込む側では、基部２７は側部２８よりも図１８における右側に突き出し、この突き出し箇所に前記雄側留付部１２となる爪部１２ａが形成されている。
【００６６】
この例にあっては、紐Ｃに作用される張力により雄部材２は前記一部を雌部材１内に入り込ませるようになっている。これにより、前記面部７ａと前記爪部１２ａ間で紐Ｃを締め付け、前記爪部１２ａを紐Ｃに食い込ませて紐Ｃに対してコードロックＲが留め付けられる。
【００６７】
そして、この例にあっても、前記紐Ｃに対する留め付けは、前記第一開口４側から引き出される前記紐Ｃを把持しての前記雌部材１に対する前記挿通路６内への前記雄部材２の一部の入り込み量を減ずる引き操作、及び、前記第二開口５側から引き出される前記紐Ｃを把持しての前記雄部材２に対する前記挿通路６内への前記雄部材２の一部の入り込み量を減ずる引き操作により解かれるようになっている。
【００６８】
また、この例にあっても、図１６に示すように、前記雌部材１及び前記雄部材２に前記引き操作用の指掛け部８、１３が形成されている。図示の例では、雌部材１の指掛け部８は、雌部材１の側部２５の外面に形成された突部によって形成されている。また、雄部材２の指掛け部１３は、雄部材２の側部２８の外面に形成された突部によって形成されている。
【００６９】
（第四例）
図２０は、前記第一例の構成の一部変更例（第四例）を示している。この第四例では、雌部材１の雌側留付部７としての前記面部７ａに細かな凹凸を形成させると共に、雄部材２の雄側留付部１２としての爪部１２ａを雄側脚部１５の左右にそれぞれ一つのみ形成させた例を示している。
【００７０】
（第五例）
図２１は、前記第一例の構成の一部変更例（第五例）を示している。この第五例では、雌部材１の雌側留付部７としての前記面部７ａに細かな凹凸を形成させると共に、雄部材２の雄側留付部１２としての爪部１２ａを雄側脚部１５の左右にそれぞれ一つのみ形成させた例を示している。そして、この第五例では、雄側留付部１２としての爪部１２ａにおける前記面部７ａに向き合う側部１２ｃにも細かな凹凸が形成されている。
【００７１】
（第六例）
図２２は、前記第一例の構成の一部変更例（第六例）を示している。この第六例では、コードロックＲは、幅広の正面部Ｒａ及び背面部Ｒｂを有する。また、図示の例では、前記正面部Ｒａ及び背面部Ｒｂは共に、前記紐Ｃの長さ方向において、前記コードロックＲの中央側から前記コードロックＲの端末Ｒｃ側に近づくに連れて高まるように形成されて二箇所の前記端末Ｒｃ、Ｒｃ間に指先が納まる形状となっている。この第六例では、二箇所の端末Ｒｃ、Ｒｃの一方は雌部材１に、他方は雄部材２に形成されており、これによって、雌部材１と雄部材２とにそれぞれ、指掛け部８、１３が形成されている。この第六例では、指掛け部８、１３はそれぞれ、頂部８ａ、１３ａを持ち、頂部８ａ、１３ａを挟んだコードロックＲの中央側と、これと反対の側とにそれぞれ、斜面８ｂ、１３ｂを有するようになっている。
【００７２】
（第七例）
図２３及び図２４は、前記第一例の構成の一部変更例（第七例）を示している。この第七例では、コードロックＲの厚さとなる幅狭の左右の側面部Ｒｅ、Ｒｅを共に、前記紐Ｃの長さ方向において、前記コードロックＲの中央側から前記コードロックＲの端末Ｒｃ側に近づくに連れて高まるように形成して、この側面部Ｒｅにおいて二箇所の前記端末Ｒｃ、Ｒｃ間に指先が納まる形状となっている。この第七例では、二箇所の端末Ｒｃ、Ｒｃの一方は雌部材１に、他方は雄部材２に形成されており、これによって、雌部材１と雄部材２とにそれぞれ、指掛け部８、１３が形成されている。
【００７３】
（第八例）
図２５は、前記第一例の構成の一部変更例（第八例）を示している。この第八例では、前記雌部材１の正面部Ｒａに形成された指掛け部８に、前記移動中心軸ｘに沿う向きの帯状体の通過路８ｃを形成し、この通過路８ｃと指掛け部８の頂部８ａとの間を帯状体の掛け回し部８ｄとしている。この第八例では、この掛け回し部８ｄ利用してコードロックＲとコードロックＲの図示しない装備対象とを、帯状体によって連係させることができる。図示の例では、帯状体によって雌部材１と装備対象とは一体化されることから、図２５中のｆ方向に雄部材を引く操作をすることで、コードロックＲに挿通された紐Ｃへの留め付けを解くことができるようになる。このような掛け回し部８ｄは、前記雄部材２に形成しても良く、また、前記雌部材１及び前記雄部材２の双方に形成させても構わない。
【００７４】
なお、当然のことながら、本発明は以上に説明した実施形態に限定されるものではなく、本発明の目的を達成し得るすべての実施形態を含むものである。
【符号の説明】
【００７５】
１  雌部材
２  雄部材
４  第一開口
５  第二開口
６  挿通路
７  雌側留付部
８  指掛け部
１２  雄側留付部
１３  指掛け部
Ｃ  紐
なお、２０１６年５月１９日に出願された日本特許出願第２０１６−１００７３３号の明細書、特許請求の範囲、図面及び要約書の全内容をここに引用し、本発明の明細書の開示として、取り入れるものである。
【図１】
2017199977.tif 000003
【図２】
2017199977.tif 000004
【図３】
2017199977.tif 000005
【図４】
2017199977.tif 000006
【図５】
2017199977.tif 000007
【図６】
2017199977.tif 000008
【図７】
2017199977.tif 000009
【図８】
2017199977.tif 000010
【図９】
2017199977.tif 000011
【図１０】
2017199977.tif 000012
【図１１】
2017199977.tif 000013
【図１２】
2017199977.tif 000014
【図１３】
2017199977.tif 000015
【図１４】
2017199977.tif 000016
【図１５】
2017199977.tif 000017
【図１６】
2017199977.tif 000018
【図１７】
2017199977.tif 000019
【図１８】
2017199977.tif 000020
【図１９】
2017199977.tif 000021
【図２０】
2017199977.tif 000022
【図２１】
2017199977.tif 000023
【図２２】
2017199977.tif 000024
【図２３】
2017199977.tif 000025
【図２４】
2017199977.tif 000026
【図２５】
2017199977.tif 000027
【国際調査報告】
2017199977.tif 000028
2017199977.tif 000029
2017199977.tif 000030